(57)【要約】【課題】装置の設定のための説明書や画面案内等を不要として容易かつ手軽に装置の設定を行うことができる資料提示装置を提供する。【解決手段】資料提示装置の設定項目、設定項目に関する複数の選択項目および選択項目を選択するマークボックスが記載された入力シート７０をカメラで撮影し、その撮影画像データから、記入されたマークが指示する設定情報にしたがって装置を設定する。【選択図】　　　　図４
2004070023.tif 000002
【特許請求の範囲】
【請求項１】
資料を撮影する撮像部と、
この撮像部による撮影画像を出力する画像出力部と、
当該装置の設定項目、設定項目に関する複数の選択項目および選択項目を選択するマーク記入欄が記載された入力シートと、
この入力シートにおける前記マーク記入欄に記入されたマークを読み取るマーク読取部と、
このマーク読取部が読み取ったマークが指示する設定情報にしたがって当該装置の設定を行う制御部とを備えることを特徴とする資料提示装置。
【請求項２】
前記マーク読取部が前記撮像部であり、この撮像部が読み取り可能な範囲に前記入力シートを位置決めする位置決め手段を備えていることを特徴とする請求項１に記載の資料提示装置。
【請求項３】
前記入力シートに該入力シートの種類を識別させる識別手段が付加され、当該装置はこの識別手段を読み取る識別手段読取部を備え、この識別手段読取部が識別手段を読み取り、その読み取られた情報に基づき前記制御部が入力シートの種類を識別することを特徴とする請求項１または２に記載の資料提示装置。
【請求項４】
前記識別手段がバーコード、二次元バーコード、文字、記号、切欠き、パンチ穴等の視覚的に認識可能な情報形態であることを特徴とする請求項３に記載の資料提示装置。
【請求項５】
前記識別手段読取部が前記撮像部であることを特徴とする請求項３または４に記載の資料提示装置。
【請求項６】
前記入力シートを収納する収納部を備えていることを特徴とする請求項１〜５のいずれかに記載の資料提示装置。
【発明の詳細な説明】
【０００１】
【発明の属する技術分野】
本発明は、原稿、写真、立体物等の資料を撮影し、その撮影画像をスクリーン等の画像表示手段に表示する資料提示装置に係り、特に、装置の設定を複雑な操作を要することなく容易に行えるようにした資料提示装置に関する。
【０００２】
【従来の技術】
スクリーン等に原稿や写真等の資料を映し、その画像を参照しながら聴衆に対してプレゼンテーションを行う場合、近年では、資料提示装置が用いられている。資料提示装置は、資料を被写体とするビデオカメラ等の動画用カメラを有し、そのカメラで撮影した資料の画像を、例えば液晶プロジェクタ等の投影装置からスクリーンに投影するようにして用いられる。資料提示装置の中には、単に資料のみを聴衆に表示するだけにとどまらず、パソコン等の外部装置が併合され、その外部装置が保有する画像を表示できるようにしたものもあり、また、様々な機能が搭載されて多様なプレゼンテーションを可能とする機種も供給されている。
【０００３】
ところで、上記のようにパソコンが併合されたり多数の機能を有したりするにつれ、資料提示装置にあっては使用する際の設定項目が増加し、設定も複雑になる傾向にある。装置の設定は、設定項目ごとに掲げられた選択項目をボタン操作等で選択することによって行われるが、そのような設定作業は、ユーザーであるプレゼンターが説明書を参照するか、あるいは付属のモニタに表示される案内にしたがうなどして行うようになっている。
【０００４】
【発明が解決しようとする課題】
しかしながら、上記のような装置の設定方法では、初めての使用者は勿論のこと、設定方法を忘れてしまった場合にはその都度説明書を確認することになり、効率的ではなかった。また、ボタン操作による設定作業そのものが煩雑であり、このため、プレゼンターが変わって設定をし直す場合など、設定の変更作業もきわめて面倒であった。
【０００５】
よって本発明は、装置の設定のための説明書や画面案内等を不要として容易かつ手軽に装置の設定を行うことができる資料提示装置を提供することを目的としている。
【０００６】
【課題を解決するための手段】
本発明は、資料を撮影する撮像部と、この撮像部による撮影画像を出力する画像出力部と、当該装置の設定項目、設定項目に関する複数の選択項目および選択項目を選択するマーク記入欄が記載された入力シートと、入力シートにおけるマーク記入欄に記入されたマークを読み取るマーク読取部と、このマーク読取部が読み取ったマークが指示する設定情報にしたがって当該装置の設定を行う制御部とを備えることを特徴としている。
【０００７】
本発明によると、入力シートに記載された設定項目に関する複数の選択項目から、該当するマーク記入欄にマークすることで希望する設定を選択する。この入力シートをマーク読取部により読み取らせ、マーク読取部が読み取ったマークの指示する設定情報にしたがって制御部が当該装置の設定を行う。このように、本発明では入力シートをマーク読取部によって読み取らせることにより装置の設定が自動的になされるので、説明書を参照したり画面案内にしたがって装置の設定を行う必要がない。その結果、初めての使用者でも容易に装置の設定を行うことができ、しかも、設定方法を忘れるといったことが起こらない。また、ボタン操作等による煩わしい設定作業から解放され、装置の設定を容易かつ手軽に行うことができる。
【０００８】
入力シートのマーク記入欄は、選択項目に並べて四角等の空白欄を配置し、この空白欄を塗りつぶしたり線を引いたりして記入し、これをマークとする形態が挙げられる。あるいは空白欄を１つとし、選択項目に応じた数字を記入して数字を読み取る形態でもよい。
【０００９】
本発明では、撮像部がマーク読取部を兼ね、該撮像部が読み取り可能、すなわち撮影可能な範囲に入力シートを位置決めする位置決め手段を備えていることを含む。これによると、撮像部が撮影可能な範囲に入力シートを簡単にセットすることができ、その状態から速やかにマークを撮影することができる。
【００１０】
入力シートのフォーマット種は１種類とは限らず、異なる設定項目が記載された複数種類の入力シートを用いる場合がある。その場合には、入力シートの種類を識別させる識別手段を入力シートに付加し、これを識別手段読取部が読み取り、読み取った識別手段の情報に基づいて制御部が入力シートの種類を識別するようにすればよい。
【００１１】
入力シートの種類を識別させるための識別手段としては、バーコード、二次元バーコード、文字、記号、切欠き、パンチ穴等の視覚的に認識可能な情報形態を用いることができる。このような情報形態を識別手段とした場合の識別手段読取部としては、バーコードの場合であればバーコードリーダーであり、他には画像撮影手段が挙げられ、その画像撮影手段としては当該装置の撮像部を用いることができる。また、識別手段として赤外光吸収塗料を採用することもできる。この場合の識別手段読取部としては、赤外光透過フィルタを装備したカメラ等が用いられる。
【００１２】
また、本発明では、入力シートを収納する収納部を備えていることを含む。入力シートの収納部としては、例えば引き出し式のトレイ等が挙げられ、入力シートの保管に便利となる。
【００１３】
【発明の実施の形態】
以下、図面を参照して本発明の一実施形態を説明する。
図１は、一実施形態に係る資料提示装置１の概略図である。この資料提示装置１は、資料載置台１１と、この資料載置台１１にアーム１２を介して支持され、資料載置台１１に置かれた原稿等の資料を撮影するカメラ（撮像部、マーク読取部、識別手段読取部）１３と、ディスプレイ１４とを備えている。ディスプレイ１４は、資料載置台１１上の資料載置箇所の奥に、資料載置台１１の前に位置する図示せぬ使用者（プレゼンター）に向けて後傾した状態で設置されている。
【００１４】
図２は資料提示装置１の構成と、この資料提示装置１に接続される周辺装置を示すブロック図である。資料提示装置１は、上記カメラ１３およびディスプレイ１４に加え、制御部２１、記憶部２２、画像選択部２３、画像合成部２４および外部出力端子（画像出力部）２５を備えている。これら構成要素のうち、カメラ１３およびディスプレイ１４以外は資料載置台１１の内部に収納させることができる。記憶部２２は、固定的な内部記憶装置あるいは資料載置台１１に脱着されるリムーバル型の外部記憶媒体等で構成される。制御部２１には、カメラ１３による撮影画像の画像データが供給され、その画像データは、画像選択部２３に直接供給されるか、あるいは一旦記憶部２２に記憶される。記憶部２２には、カメラ１３により撮影された画像データ以外の他の画像データも記憶されることが可能であり、その画像データは、制御部２１からのコマンドにより制御部２１を介して画像選択部２３に供給可能である。
【００１５】
制御部２１および画像選択部２３には、画像データが保有されていたり画像データが生成されたりするパソコン３０が接続されており、それら画像データは、制御部２１からのコマンドが入力されることにより画像選択部２３に供給される。また、パソコン３０には制御部２１から後述する画面送り（画面の送り／戻し）のコマンドが入力され、そのコマンドにしたがってパソコン３０の画像データが画像選択部２３に供給される。このように、画像選択部２３には、カメラ１３による撮影画像の画像データ、記憶部２２に記憶された画像データおよびパソコン３０の画像データが供給され、これら画像データの中から、ディスプレイ１４と外部出力端子２５に出力する画像データが選択されるようになっている。外部出力端子２５にはプロジェクタ４０が接続され、プロジェクタ４０からは、外部出力端子２５に出力された画像データに基づく画像が、聴衆が視認する図示せぬスクリーンに投影される。なお、以下の説明では、カメラ１３による撮影画像をカメラ画像、記憶部２２に記憶された画像を記憶画像、パソコン３０による画像をパソコン画像と称する。
【００１６】
この資料提示装置１では、図１に示すペン５０の指示マーク５１によって、スクリーンの表示画面にポイントを指示する（ポインティング）ことができる。指示マーク５１は、スイッチを入れることにより発光するＬＥＤ等の発光体で構成される。以下に、ポインティング機能の作用を説明する。
【００１７】
まず、制御部２１により、資料載置台１１の上面におけるカメラ１３の撮影画角内に、一般的な画像解析法によって仮想スクリーンのＸＹ座標を設定する。仮想スクリーンの設定法としては、次の方法が挙げられる。まず、カメラ１３の撮影画角の少なくとも対角隅点２箇所でペン５０の指示マーク５１を順次発光させ、これをカメラ１３により撮影し、その画像データから各発光点である指示マーク５１の位置を認識する。そして、画像処理によって指示マーク５１の位置から設定すべき仮想スクリーンのＸＹ座標を生成する。これで不可視な仮想スクリーンが資料載置台１１上に設定され、この仮想スクリーンは、カメラ１３と資料載置台１１との間隔が変わらない限り固定的とされる。すなわち、仮想スクリーンの設定は初期設定として１回行えばよい。
【００１８】
ポインティングを行う際には、仮想スクリーンが設定された資料載置台１１上においてペン５０の指示マーク５１を発光させる。すると、指示マーク５１がカメラ１３で撮影され、制御部２１はその画像データを基に仮想スクリーンの座標上での指示マーク５１の位置座標を逐一算出する。そして、制御部２１は算出した指示マーク５１の位置座標に矢印等のポイント画像等を生成する。制御部２１で生成されたポイント画像は画像合成部２４に入力され、画像合成部２４は、画像選択部２３から入力された画像にポイント画像を合成する。画像合成部２４には外部出力端子２５が接続されており、したがって、ポイント画像はスクリーンに表示される画像に合成される。
【００１９】
資料提示装置１の資料載置台１１の適宜な箇所には、図３に示す画面送りパネル６０が設けられている。この画面送りパネル６０には、画面送りキー６１、画面戻しキー６２、画面送り／戻しする対象画像を指定するパソコン画像キー６３、記憶画像キー６４が配置されている。パソコン画像キー６３を押すと画面送り／戻しする対象画像がパソコン画像に選択され、その状態で画面送りキー６１や画面戻しキー６２を押すと、そのコマンドがパソコン３０に入力され、パソコン画像の画面の送り／戻しがなされる。また、記憶画像キー６４を押すと画面送り／戻しする対象画像が記憶画像に選択され、その状態で画面送りキー６１や画面戻しキー６２を押すと、そのコマンドが制御部２１に入力され、記憶画像の画面の送り／戻しがなされる。
【００２０】
上記の画面送り／戻しは、上記キー６３，６４を選択することで、パソコン画像か記憶画像の画面を単独で送り／戻しすることができるのであるが、この資料提示装置１では、以下に述べる入力シートに記入されたマークの指示による設定情報にしたがって、例えば外部出力画像（外部出力端子２５に出力されてプロジェクタ４０から投影される画像）をパソコン画像に設定し、ディスプレイ１４への出力画像を記憶画像とした場合、双方の画面を連動させて画面送り／戻しを行うことができる機能を有している。この連動画面送り／戻し機能は、予めパソコン画像と記憶画像とを関連する対の画像として出力されるようにページの設定をしておくことで、好適に利用できる。
【００２１】
次に、この資料提示装置１での入力シートによる出力画像の設定方式を説明する。図４はその入力シートの一例であり、この入力シート７０には、基本的な設定項目として次の５項目が記載されている。
１．接続する画像
２．ディスプレイに出力する画像（選択は１つだけ）
３．外部に出力する画像（選択は１つだけ）
４．ポインタの形状（選択は１つだけ）
５．連動して画面送りしますか
（なお、この第５項は上記外部出力画像とディスプレイ１４への出力画像の連動に関するものである）
【００２２】
設定項目１〜３には、ａ．カメラ画像、ｂ．パソコン画像、ｃ．記憶画像、の３つの選択項目が記載され、これら選択項目には空欄のマークボックス（マーク記入欄）７１がそれぞれ並べて配置されている。また、設定項目４には、ａ．矢印、ｂ．アンダーライン、ｃ．丸、の３つの選択項目が記載され、これら選択項目にも空欄のマークボックス７１がそれぞれ並べて配置されている。また、設定項目５には、ａ．はい、ｂ．いいえ、の２つの選択項目が記載され、これら選択項目にも空欄のマークボックス７１がそれぞれ並べて配置されている。なお、設定項目１の接続する画像とは、画像選択部２３に入力させる画像のことである。
【００２３】
また、入力シート７０の所定箇所（この場合右上）には、入力シート７０のフォーマット種、すなわちいかなる設定項目が記載されているかを識別するためのバーコード（識別手段）８０がシールの貼付等の手段により付加されており、このバーコード８０をカメラ１３が撮影し、カメラ１３が撮影したバーコード８０の情報を制御部２１が認識することにより、入力シート７０のフォーマット種が識別されるようになっている。各選択項目ごとのマークボックス７１は、バーコード８０による識別情報に応じて所定箇所に定められている。
【００２４】
資料提示装置１を使用するプレゼンターは、各設定項目について選択項目の中から希望する設定を選択し、その右側のマークボックス７１を鉛筆等で塗りつぶす。図４では、次のように選択している。
１．接続する画像：パソコン画像と記憶画像
２．ディスプレイに出力する画像：記憶画像
３．外部に出力する画像：パソコン画像
４．ポインタの形状：矢印
５．連動して画面送りしますか：はい
【００２５】
上記入力シート７０を資料載置台１１に置き、入力シート７０をカメラ１３により撮影させる。その場合、資料載置台１１に設けられた設定入力用のスタートボタン１５を押す。カメラ１３による撮影画像の画像データは制御部２１に供給され、制御部２１はその画像データに基づき入力シート７０中の設定情報を認識する。以下に、制御部２１による入力シート７０の設定情報を認識する方式の例として、枠線方式と基準線方式を挙げる。
【００２６】
ａ）枠線方式
図５に示すように、資料載置台１１の上面のカメラ１３の撮影画角内に、入力シート７０よりも僅かに大きな枠線（位置決め手段）１６を設定しておき、この枠線１６内に入力シート７０を置く。図６のフローに示すように、制御部２１は、入力したカメラ１３の撮影画像データから、まず枠線１６の右上隅点である原点（０，０）から所定位置にあるバーコード８０の中心座標（Ｘ０，Ｙ０）に相当する画像データを中心に水平方向（左右方向）にバーコード８０を走査し、そのバーコードパターンからバーコード８０の情報を認識する（ステップＳ１０１）。制御部２１は、認識したバーコード８０の情報から入力シート７０の種類（フォーマット種）を検索して認識する（ステップＳ１０２）。次いで、制御部２１はフォーマット種から事前に登録されているマークボックス７１の位置データ（Ｘ，Ｙ１），（Ｘ，Ｙ２），…（Ｘ，Ｙｎ），…（Ｘ，Ｙｅ）から、マークの有無をチェックする（ステップＳ１０３）。
【００２７】
ｂ）基準線方式
基準線方式では、図７に示すように、右端に縦方向に沿った基準線７２が描かれた入力シート７０を用いる。この入力シート７０を置く資料載置台１１の上面は、基準線７２のコントラストが明瞭となるように白色系に設定するとよい。この入力シート７０では、図８に示すように、資料載置台１１にやや斜めに置いた場合でも、次のようにしてマークを認識することができる。図９のフローに示すように、制御部２１は、カメラ１３の撮影画像データに対し、まず中央右端より水平方向に左へ走査し、はじめにある濃度を超えるデータ（基準線７２に交差するＱ点）を探索する（ステップＳ２０１）。次に、垂直方向（上下方向）上方に向かって同様に走査して基準線７２を追跡し（ステップＳ２０２）、基準線７２が見つからなくなる位置（Ｖ点）まで垂直方向上方に移動して走査する（ステップＳ２０３）。次に、Ｑ点とＶ点から基準線７２の傾きθを求める（ステップＳ２０４）。傾きθは、Ｖ点の座標（Ｘｖ，Ｙｖ）、Ｑ点の座標（Ｘｑ，Ｙｑ）とした場合、次式によって求められる。
θ＝ｔａｎ−１｛（Ｘｑ−Ｘｖ）／（Ｙｑ−Ｙｖ）｝
【００２８】
次に、所定位置にあるバーコード８０の中心座標（Ｘ０’，Ｙ０’）に相当する画像データを中心に水平方向にバーコード８０を走査し、バーコードパターンからバーコード８０の情報を認識する（ステップＳ２０５）。この場合のＶ点を原点（０，０）とした画像データ上のバーコード８０の中心（Ｘ０’，Ｙ０’）は、入力シート７０上のバーコード８０の中心から基準線７２までの距離Ｘ０と、Ｖ点からバーコード８０の高さの中心までの距離Ｙ０で表し、かつ入力シート７０の傾き角をθとしたとき、それぞれ以下の式で求められる。
Ｘ０’＝Ｙ０ｓｉｎθ＋Ｘ０ｃｏｓθ
Ｙ０’＝Ｙ０ｃｏｓθ−Ｘ０ｓｉｎθ
【００２９】
次に、制御部２１は認識したバーコード８０の情報から入力シート７０の種類（フォーマット種）を検索して認識する（ステップＳ２０６）。続いて制御部２１は、フォーマット種から事前に登録されているマークボックス７１の位置データ（Ｘ１，Ｙ１），（Ｘ２，Ｙ２），…（Ｘｎ，Ｙｎ），…（Ｘｅ，Ｙｅ）から、マークの有無をチェックする（ステップＳ２０７）。その際、入力シート７０の傾き角をθとしたときのマークボックス７１の座標（Ｘｎ’，Ｙｎ’）は、それぞれ以下の式で求められる。
Ｘｎ’＝Ｙｎｓｉｎθ＋Ｘｃｏｓθ
Ｙｎ’＝Ｙｎｃｏｓθ−Ｘｓｉｎθ
【００３０】
さて、上記のような方式により制御部２１が入力シート７０のマークによる設定情報を認識したら、続いて制御部２１はその設定情報にしたがって実際に装置の設定を行う。以下に、図４に示した入力シート７０のマークの指示にしたがって、その設定を行う例を説明する。
【００３１】
接続する画像がパソコン画像と記憶画像に設定されているので、制御部２１がパソコン３０にコマンドを送ることによりパソコン３０からパソコン画像が画像選択部２３に入力され、また、制御部２１が記憶部２２にコマンドを送ることにより記憶部２２から制御部２１を介して記憶画像が画像選択部２３に入力される。次に、ディスプレイ１４に出力する画像が記憶画像に設定されているので、制御部２１は画像選択部２３に対しディスプレイ１４に出力する画像として記憶画像を選択するようコマンドを送る。これによってディスプレイ１４には記憶画像が表示される。また、外部に出力する画像がパソコン画像に設定されているので、制御部２１は画像選択部２３に対し画像合成部２４に出力する画像としてパソコン画像を選択するようコマンドを送る。これによって、外部出力端子２５には画像合成部２４を介してパソコン画像が出力され、スクリーンにはパソコン画像が投影される。
【００３２】
次に、ポインタ形状は矢印に設定されているので、制御部２１はポインティングによるポインタ形状を矢印としてポイント画像を生成するように制御部２１内のポイント画像生成回路を設定する。このポイント画像生成回路から出力されるポイント画像は画像合成部２４でパソコン画像と合成され、その合成画像がスクリーンに投影される。また、「連動して画面送りする」と設定されているので、画面送り／戻しコマンドはパソコン３０と記憶部２２との両方に向けて発行するように設定する。これにより画面送りパネル６０の画面送りキー６１や画面戻しキー６２を押すことで、その都度、スクリーンに投影されるパソコン画像の画面が送り／戻しされ、これと連動して、ディスプレイ１４に表示される画面が送り／戻しされる。
【００３３】
図１０は、入力シート７０を収納する引き出し式のトレイ（収納部）１７が資料載置台１１の下方に設けられた資料提示装置１を示している。トレイ１７には、マークボックス７１が空欄の未使用の入力シート７０を収納することができ、また、プレゼンターが使用した入力シート７０を保管しておけば、次回に使用するときに手軽に取り出せるので便利である。
【００３４】
以上が本発明の一実施形態であり、この実施形態によれば、入力シート７０に記載された各設定項目に関し、希望する設定をマークボックス７１にマークし、この入力シート７０をカメラ１３によって撮影し、マークから設定情報を認識することにより、各設定項目に関する装置の設定が自動的になされる。このため、説明書を参照したり画面案内にしたがって装置の設定を行う必要がなく、その結果、初めての使用者でも容易に装置の設定を行うことができる。また、設定方法を忘れることを回避することができるとともに、ボタン操作等による煩わしい設定作業から解放され、装置の設定を容易かつ手軽に行うことができる。なお、装置の設定が終了した際に、その旨を知らせる終了音が発生するように構成されているとよく、その場合には、終了音発生用のスピーカを資料載置台１１に内蔵しておけばよい。
【００３５】
上記枠線方式のように、資料載置台１１のカメラ１３の撮影範囲を示す枠線１６を設定しておけば、カメラ１３の撮影範囲に入力シート７０を簡単にセットすることができる。また、上記基準線方式のように、入力シート７０に基準線７２を描いておき、この基準線７２に基づいてマークの有無を認識するようにすれば、入力シート７０を置く姿勢が比較的ラフでかまわなくなるとともに、入力シート７０が置かれた姿勢にかかわらず確実にマークの有無を認識することができる。
【００３６】
【発明の効果】
以上説明したように、本発明によれば、入力シートのマーク記入欄に記入されたマークを読み取り、マークが指示する設定情報にしたがって装置の設定がなされるので、装置の設定を、説明書や画面案内等に頼ることなく容易かつ手軽に行うことができるといった効果を奏する。
【図面の簡単な説明】
【図１】本発明の一実施形態に係る資料提示装置の概略側面図である。
【図２】一実施形態の資料提示装置および接続される周辺装置の構成を示すブロック図である。
【図３】画面送りパネルの図である。
【図４】入力シートの一例を示す図である。
【図５】図４の入力シートを資料載置台に置いた状態の平面図である。
【図６】図４の入力シートの設定情報を読み取る過程を示すフローチャートである。
【図７】入力シートの他の例を示す図である。
【図８】図７の入力シートを資料載置台に置いた状態の平面図である。
【図９】図７の入力シートの設定情報を読み取る過程を示すフローチャートである。
【図１０】入力シート収納用のトレイを備えた資料提示装置の概略側面図である。
【符号の説明】
１…資料提示装置
１３…カメラ（撮像部、マーク読取部、識別手段読取部）
１６…枠線（位置決め手段）
１７…トレイ（収納部）
２１…制御部
２５…画像出力端子（画像出力部）
７０…入力シート
７１…マークボックス（マーク記入欄）
８０…バーコード（識別手段）
【図１】
2004070023.tif 000003
【図２】
2004070023.tif 000004
【図３】
2004070023.tif 000005
【図４】
2004070023.tif 000006
【図５】
2004070023.tif 000007
【図６】
2004070023.tif 000008
【図７】
2004070023.tif 000009
【図８】
2004070023.tif 000010
【図９】
2004070023.tif 000011
【図１０】
2004070023.tif 000012